(57)【要約】      （修正有）【課題】宅地造成の境界壁、道路の路肩等土木工事で切り取った崖、あるいは盛土等を保持するための擁壁用Ｌ字型コンクリートブロック製造型枠および擁壁用Ｌ字型コンクリートブロック製造方法を提供する。【解決手段】擁壁用Ｌ字型コンクリートブロック製造型枠は、成形型枠１５と、成形型枠載置架台２１とからなる。前記成形型枠１５は、擁壁用Ｌ字型コンクリートブロック１０を構成する垂直部および前記垂直部に連設された傾斜底板を製造できる空間を少なくとも備える。成形型枠載置架台２１は、前記成形型枠１５の垂直部および傾斜底板に沿った載置台と、前記擁壁擁Ｌ字型コンクリートブロックの周囲を一部囲む側壁と、から少なくとも構成される。前記成形型枠１５および成形型枠載置架台２１に打設されたコンクリートは、一次養生後に直ちに、成形型枠載置架台２１から前記成形型枠１５ごと除去し、別の場所で二次養生が行われる。【選択図】図１
2012106348.tif 000002
【特許請求の範囲】
【請求項１】
土木工事で切り取った崖、あるいは盛土等を保持するために使用する擁壁を製造する擁壁用Ｌ字型コンクリートブロック製造型枠において、
垂直部および前記垂直部に連設された傾斜底板を少なくとも備えている擁壁用Ｌ字型コンクリートブロックを製造するためのコンクリートを打設する成形型枠と、
前記成形型枠の垂直部および傾斜底板に沿った載置台と、前記擁壁擁Ｌ字型コンクリートブロックの周囲を一部囲む側壁と、から少なくとも構成されている成形型枠載置架台と、
前記成形型枠と成形型枠載置架台とによって、擁壁用Ｌ字型コンクリートブロックを成形するコンクリートを打設する空間と、
から少なくとも構成されていることを特徴とする擁壁用Ｌ字型コンクリートブロック製造型枠。
【請求項２】
前記成形型枠は、側部に吊り上げ用フックが設けられていることを特徴とする請求項１に記載された擁壁用Ｌ字型コンクリートブロック製造型枠。
【請求項３】
土木工事で切り取った崖、あるいは盛土等を保持するために使用する擁壁を製造する擁壁用Ｌ字型コンクリートブロック製造方法において、
前記成形型枠の垂直部および傾斜底板に沿った載置台と前記擁壁擁Ｌ字型コンクリートブロックの周囲を囲む側壁から少なくとも構成されている成形型枠載置架台に、垂直部および前記垂直部に連設された傾斜底板を少なくとも備えている擁壁用Ｌ字型コンクリートブロックを製造するためのコンクリートを打設する成形型枠を載置する工程と、
前記成形型枠および成形型枠載置架台にコンクリートを打設するとともに、一次養生を行う工程と、
前記コンクリートの一次養生が終了した後、前記コンクリートブロックを前記成形型枠ごと吊り上げて、前記成形型枠載置架台から取り外す工程と、
前記成形型枠にあるコンクリートブロックを二次養生する工程と、
から少なくとも構成されていることを特徴とする擁壁用Ｌ字型コンクリートブロック製造方法。
【請求項４】
前記一次養生は、２時間から３時間であることを特徴とする請求項３に記載された擁壁用Ｌ字型コンクリートブロック製造方法。
【発明の詳細な説明】
【技術分野】
【０００１】
本発明は、宅地造成の境界壁、道路の路肩等土木工事で切り取った崖、あるいは盛土等を保持するために使用する擁壁用Ｌ字型コンクリートブロック製造型枠および擁壁用Ｌ字型コンクリートブロック製造方法に関するものである。また、本発明は、擁壁用Ｌ字型コンクリートブロックを製造する際の型枠コストの低減、前記型枠の稼働効率、および前記擁壁用Ｌ字型コンクリートブロックを製造する際の作業効率を向上させることができる擁壁用Ｌ字型コンクリートブロック製造型枠および生産効率の良い擁壁用Ｌ字型コンクリートブロック製造方法に関するものである。
【背景技術】
【０００２】
図４（イ）および（ロ）は擁壁用Ｌ字型コンクリートブロックの形状を説明するための図である。図４（イ）および（ロ）において、擁壁用Ｌ字型コンクリートブロック１０は、垂直壁１１とほほ直角に曲げられた傾斜底板１２とが一体に成形されている。また、前記垂直壁１１と前記傾斜底板１２とは、１０５度の角度を設けて一体に成形されている。
【０００３】
前記垂直壁１１は、さらに、左右に嵌合凸部１１２および嵌合凹部１１３と、下部に施工時に支点となる垂直壁基部１１１とを備えている。また、前記傾斜底板１２は、両端にテーパー部１２１を備えている。前記嵌合凸部１１２および嵌合凹部１１３、と両端テーパー部１２１は、前記擁壁用Ｌ字型コンクリートブロック１０を連続して設けた場合、特に、曲がっている場合に好都合なように成形されている。図４（ロ）に示す図は、擁壁用Ｌ字型コンクリートブロック１０の内側（盛土側）から見た図である。前記擁壁用Ｌ字型コンクリートブロック１０の内側は、補強支持部１１４が図示のごとく張り出ている。
【０００４】
図５（イ）は擁壁用Ｌ字型コンクリートブロックを使用した盛土の土留めを説明するための図で、（ロ）は前記擁壁用Ｌ字型コンクリートブロックを連結した状態を説明するための図である。図５（イ）において、前記擁壁用Ｌ字型コンクリートブロックは、垂直壁１１を垂直にし、一つの擁壁用Ｌ字型コンクリートブロックにおける嵌合凸部１１２と、他の一つの擁壁用Ｌ字型コンクリートブロックにおける嵌合凹部１１３とを互いに嵌合させるようにして、連続した壁を土地５１の上に製造する。前記擁壁用Ｌ字型コンクリートブロック製造型枠１０は、前記傾斜底板１２側に盛土５２が置かれて、土留めができる。前記傾斜底板１２と前記垂直壁１１との角度αは、約１０５度にした場合、施工がやり易く、また、施工後の状態を良好にすることができる。図５（イ）および（ロ）において、前記擁壁用Ｌ字型コンクリートブロックは、内部中央に補強支持部１１４が設けられている。前記補強支持部１１４は、たとえば、二つのテーパー孔１１５、１１５′が設けられている。前記テーパー孔１１５、１１５′には、前記補強支持部１１４を連結するための連結棒５３が嵌合されている。前記連結棒５３は、たとえば、上向きに湾曲させた形状とすることにより、互いの擁壁用Ｌ字型コンクリートブロックを連結すると同時に、自重を支えることができるような形状にしてある。
【０００５】
また、擁壁用Ｌ字型コンクリートブロックは、特開２００７−１７０１５３号公報に記載されており、垂直壁の下部に嵌合凹部を備え、前記垂直壁の底板を基礎台に嵌合している。前記擁壁用Ｌ字型コンクリートブロックは、ほぼ同形の型枠を用いて製造されていた。
【先行技術文献】
【特許文献】
【０００６】
【特許文献１】特開２００７−１７０１５３号公報
【発明の概要】
【発明が解決しようとする課題】
【０００７】
前記特開２００７−１７０１５３号公報に記載された擁壁用Ｌ字型コンクリートブロックは、一つの型枠を用いて大量に生産されている。しかし、前記擁壁用Ｌ字型コンクリートブロックは、前記型枠にコンクリートを打設した後、前記型枠で一次養生を行い、その後、水養生あるいはスチーム養生等の二次養生を行い、最後に型枠から取り出すという方法を用いていた。
【０００８】
前記擁壁用Ｌ字型コンクリートブロックは、垂直部および前記垂直部に連設された傾斜底板からなり、工事の対象によって多少異なるが、相当な大きさと重量を有するものとなった。そのため、前記擁壁用Ｌ字型コンクリートブロック製造型枠は、大掛かりなものとなり、コンクリートの打設および養生を行った後、前記型枠から取り出す作業も大変であった。また、前記擁壁用Ｌ字型コンクリートブロック製造型枠は、大型であるため、材料費が嵩むという問題があった。さらに、前記擁壁用Ｌ字型コンクリートブロック製造型枠は、型枠が大型となり、コンクリートの打設から完成までに時間がかかるため、生産性が悪いという問題があった。
【０００９】
以上のような課題を解決するために、本発明は、擁壁用Ｌ字型コンクリートブロックを製造するために、コンクリート型枠を成形型枠と成形型枠載置架台とに分けることにより、型枠全体のコストを低減できるとともに、一つの成形型枠載置架台に対して、複数個の成形型枠が使用できる構造にすることで、擁壁用Ｌ字型コンクリートブロックの生産効率、前記型枠にかかる経費および材料を節約することができる擁壁用Ｌ字型コンクリートブロック製造型枠および擁壁用Ｌ字型コンクリートブロック製造方法を提供することを目的とする。
【課題を解決するための手段】
【００１０】
（第１発明）
第１発明の擁壁用Ｌ字型コンクリートブロック製造型枠は、土木工事で切り取った崖、あるいは盛土等を保持するために使用する擁壁を製造するためのものであり、垂直部および前記垂直部に連設された傾斜底板を少なくとも備えている擁壁用Ｌ字型コンクリートブロックを製造するためのコンクリートを打設する成形型枠と、前記成形型枠の垂直部および傾斜底板に沿った載置台と、前記擁壁擁Ｌ字型コンクリートブロックの周囲を一部囲む側壁と、から少なくとも構成されている成形型枠載置架台と、前記成形型枠と成形型枠載置架台とによって、擁壁用Ｌ字型コンクリートブロックを成形するコンクリートを打設する空間とから少なくとも構成されていることを特徴とする。
【００１１】
（第２発明）
第２発明の擁壁用Ｌ字型コンクリートブロックを製造する成形型枠は、側部に吊り上げ用フックが設けられていることを特徴とする。
【００１２】
（第３発明）
第３発明の擁壁用Ｌ字型コンクリートブロック製造方法は、土木工事で切り取った崖、あるいは盛土等を保持するために使用する擁壁を製造するものであり、前記成形型枠の垂直部および傾斜底板に沿った載置台と前記擁壁擁Ｌ字型コンクリートブロックの周囲を囲む側壁から少なくとも構成されている成形型枠載置架台に、垂直部および前記垂直部に連設された傾斜底板を少なくとも備えている擁壁用Ｌ字型コンクリートブロックを製造するためのコンクリートを打設する成形型枠を載置する工程と、前記成形型枠および成形型枠載置架台にコンクリートを打設するとともに、一次養生を行う工程と、前記コンクリートの一次養生が終了した後、前記コンクリートブロックを前記成形型枠ごと吊り上げて、前記成形型枠載置架台から取り外す工程と、前記成形型枠にあるコンクリートブロックを二次養生する工程とから少なくとも構成されていることを特徴とする。
【００１３】
（第４発明）
第４発明の擁壁用Ｌ字型コンクリートブロック製造方法における一次養生は、２時間から３時間であることを特徴とする。
【発明の効果】
【００１４】
本発明によれば、成形型枠と成形型枠載置架台とを分けて、一組の型枠とすることにより、一つ成形型枠載置架台に対して、複数個の成形型枠を使用することができるようにしたため、型枠にかかるコストを低減できるとともに、生産効率を大幅に向上させることができるようになった。
【００１５】
本発明によれば、一つ成形型枠載置架台に対して、成形型枠を複数個備えておくことにより、コンクリートの二次養生が同時に複数個できることになり、見かけ上、養生時間を短縮することができるだけでなく、一つの型枠だけを使用する時と比較して、安価で、かつ、省資源にかなった擁壁用Ｌ字型コンクリートブロックを得ることができる。
【００１６】
本発明によれば、成形型枠と成形型枠載置架台とに分けて一つの型枠としたため、擁壁用Ｌ字型コンクリートブロックの移動が容易になり、作業時間、作業労力、作業効率を向上させることができるようになった。
【００１７】
本発明によれば、打設された擁壁用Ｌ字型コンクリートブロックが崩れない程度の半乾き状態の時に成形型枠ごと吊り上げて、昇降および移動ができるため、大量生産に優れている。
【図面の簡単な説明】
【００１８】
【図１】本発明の実施例であるコンクリートを打設前の成形型枠を説明するための斜視図である。（実施例１）
【図２】本発明の実施例である成形型枠載置架台に成形型枠をセットした状態を説明するための斜視図である。
【図３】本発明の実施例であり、成形型枠載置架台からコンクリートが打設された成形型枠を取り出す際を説明するための分解斜視図である。
【図４】（イ）および（ロ）は本発明の擁壁用Ｌ字型コンクリートブロックの形状を説明するための図である。
【図５】（イ）は擁壁用Ｌ字型コンクリートブロックを使用した盛土の土留めを説明するための図で、（ロ）は前記擁壁用Ｌ字型コンクリートブロックを連結した状態を説明するためのある。
【発明を実施するための形態】
【００１９】
（第１発明）
第１発明の擁壁用Ｌ字型コンクリートブロック製造型枠は、宅地造成の境界壁、道路の路肩等土木工事で切り取った崖、あるいは盛土等を保持するために使用する擁壁用Ｌ字型コンクリートブロックを製造するためのものである。本発明の擁壁用Ｌ字型コンクリートブロック製造型枠は、型枠を効率良く使用することで、型枠の使用効率および擁壁用Ｌ字型コンクリートブロックの生産効率を向上させることができるものである。
【００２０】
第１発明の擁壁用Ｌ字型コンクリートブロック製造型枠は、大きく分けて、成形型枠と、成形型枠載置架台とから構成されている。前記成形型枠は、擁壁用Ｌ字型コンクリートブロックを構成する垂直部および前記垂直部に連設された傾斜底板を製造できる空間を少なくとも備えている。成形型枠載置架台は、前記成形型枠の垂直部および傾斜底板に沿った載置台と、前記擁壁擁Ｌ字型コンクリートブロックの周囲を一部囲む側壁と、から少なくとも構成されている。
【００２１】
前記成形型枠載置架台は、上部に前記成形型枠が載置される。この状態で、前記成形型枠と成形型枠載置架台とは、擁壁用Ｌ字型コンクリートブロックを成形するためのコンクリートを打設する空間が成形される。前記成形型枠および成形型枠載置架台に打設されたコンクリートは、一次養生（コンクリートの形が崩れない程度の半乾き状態）後に直ちに、成形型枠載置架台から前記成形型枠ごと除去し、別の場所で二次養生が行われる。次の成形型枠は、前記成形型枠載置架台に載置され、次の擁壁用Ｌ字型コンクリートブロックを製造するためにコンクリートが打設される。前記擁壁用Ｌ字型コンクリートブロック成形型枠は、一つの成形型枠載置架台に対して、複数個の成形型枠を準備することにより、複数個の擁壁用Ｌ字型コンクリートブロックを短時間に成形することが可能になった。
【００２２】
本願発明の擁壁用Ｌ字型コンクリートブロック製造型枠は、前記成形型枠と、成形型枠載置架台とを分けて使用することで、使用効率を向上させるだけでなく、短時間に大量生産が可能になる。前記成形型枠は、コンクリートの打設から二次養生が終わり、最終製品となるまで、必要である。しかし、前記成形型枠載置架台は、複数個の成形型枠を使用して、擁壁用Ｌ字型コンクリートブロックを製造することができるため、生産性を向上させるだけでなく、生産費のコストダウンおよび型枠の材料費の節約に貢献することができる。
【００２３】
（第２発明）
第２発明の擁壁用Ｌ字型コンクリートブロック製造型枠は、前記成形型枠の側部に吊り上げ用フックが設けられている。前記成形型枠は、コンクリートが打設され、半乾きの状態で、前記吊り上げ用フックを利用して、前記成形型枠載置架台から外し、二次養生を行う場所に、容易に移動させることができる。
【００２４】
（第３発明）
第３発明の擁壁用Ｌ字型コンクリートブロック製造方法は、宅地造成の境界壁、道路の路肩等土木工事で切り取った崖、あるいは盛土等を保持するために使用する擁壁用Ｌ字型コンクリートブロックを製造する方法に関するものである。本発明の擁壁用Ｌ字型コンクリートブロック製造方法は、擁壁用Ｌ字型コンクリートブロックを短時間で効率良く、かつ、品質の良い擁壁用Ｌ字型コンクリートブロックを得ることができる。
【００２５】
本発明の擁壁用Ｌ字型コンクリートブロック製造方法は、成形型枠を成形型枠載置架台に載置する工程と、前記成形型枠と成形型枠載置架台にコンクリートを打設する工程と、一次養生を行う工程と、前記成形型枠を前記成形型枠載置架台から取り外す工程と、コンクリートブロックを二次養生する工程とから少なくとも構成されている。
【００２６】
本発明の第１工程は、前記成形型枠を成形型枠載置架台に載置することで、前記成形型枠の垂直部および傾斜底板を備えた前記擁壁擁Ｌ字型コンクリートブロックの周囲を囲む側壁が構成される。前記成形型枠および成形型枠載置架台からなる型枠は、垂直部および前記垂直部に連設された傾斜底板を少なくとも備えている擁壁用Ｌ字型コンクリートブロックと同じ型になる。次の工程は、前記成形型枠および成形型枠載置架台からなる型枠にコンクリートが打設される。
【００２７】
前記成形型枠および成形型枠載置架台に打設されたコンクリートは、一次養生が行われる。前記コンクリートは、一次養生により、ある程度の硬さを維持することができる状態になった場合、前記コンクリートブロックを前記成形型枠ごと吊り上げて、前記成形型枠載置架台から取り外す。前記成形型枠に打設され、一次養生が終了したコンクリートブロックは、前記成形型枠ごと水槽に移動し、二次養生（たとえば、水養生）を行う。二次養生が終了したコンクリートブロックは、前記成形型枠から取り出し、最終的な擁壁用Ｌ字型コンクリートブロックとなる。
【００２８】
（第４発明）
第４発明の擁壁用Ｌ字型コンクリートブロック製造方法は、一次養生を２時間から３時間とし、その後、コンクリートブロックを成形型枠だけで移動し、二次養生を行う。前記コンクリートブロックは、二次養生を成形型枠載置架台と別の場所に移して行うことができるため、一つの成形型枠載置架台で、複数のコンクリートブロックを製造することができる。
【実施例１】
【００２９】
図１は本発明の実施例であるコンクリートを打設前の成形型枠を説明するための斜視図である。図２は本発明の実施例である成形型枠載置架台に成形型枠をセットした状態を説明するための斜視図である。図３は本発明の実施例であり、成形型枠載置架台からコンクリートが打設された成形型枠を取り出す際を説明するための分解斜視図である。本発明の擁壁用Ｌ字型コンクリートブロックは、宅地造成の境界壁、道路の路肩等土木工事で切り取った崖、あるいは盛土等を保持するために使用される。
【００３０】
図１から図３を用いて本発明の擁壁用Ｌ字型コンクリートブロック製造型枠を説明する。図１に示す成形型枠１５および図２に示す成形型枠載置架台２１は、一体になって、擁壁用Ｌ字型コンクリートブロックを製造する型枠となるものである。前記成形型枠１５は、擁壁用Ｌ字型コンクリートブロック１０を構成する垂直部１１および前記垂直部１１に連設された傾斜底板１２を製造できる空間（図３における符号１５１、１５２の部分）を少なくとも備えている。前記成形型枠１５は、補強支持部成形部にテーパーピン１５７が設けられている。図示されていないコンクリートは、打設された場合、前記成形型枠１５に剥離剤が塗ってあっても、一次養生後の移動に際し、前記テーパーピン１５７により、成形型枠から移動することがない。前記コンクリートは、二次養生の後、前記成形型枠１５から取り出す場合、前記テーパーピン１５７を外してから、取り出される。
【００３１】
前記成形型枠１５は、図１に示す擁壁用Ｌ字型コンクリートブロック１０が成形できる型から構成されている。特に、前記成形型枠１５は、補強支持部１１４を成形する補強支持部成形１５４、および傾斜底板１２を成形する傾斜底板囲部１５５を備えている。また、前記成形型枠１５は、コンクリートを打設し、一次養生後に、コンクリートブロックごと運ぶことができるように４カ所に吊上用フック１５３、１５３′が設けられている。一次養生（形が崩れない程度に半乾き状態）後のコンクリートブロックは、前記吊上用フック１５３、１５３′を用いて、前記成形型枠１５ごとクレーン等によって、吊り上げて所定の場所に、容易に、しかも短時間で、移すことができる。
【００３２】
図２および図３において、成形型枠載置架台２１は、支持架２１１と、支持架２１１の上部に設けられているコ字型の側部成形板２１２、２１３および頂部成形板２１４と、傾斜底板成形蓋２１５と、左右に設けられた補強部２１８とから少なくとも構成されている。前記支持架体２１１は、補強部材で図示のように構成されているが、骨組みの状態を変えることができるだけでなく、周囲を板状部材により覆うように構成することも可能である。
【００３３】
前記側部成形板２１２、２１３は、たとえば、図３に示すように、蝶番２１６により、左右方向に開くことができる。前記蝶番２１６は、前記成形型枠１５を移動させる際に、開き、前記成形型枠１５を擁壁用Ｌ字型コンクリートブロックごとクレーン等で吊り上げる際の作業を容易にする。前記側部成形板２１２、２１３、および頂部成形板２１４は、コ字型になっており、前記成形型枠１５の垂直壁１１を成形できる垂直壁成形型枠部１５１からなっている。
【００３４】
前記傾斜底板成形型枠部１５２は、傾斜底板成形蓋２１５と一緒になって、擁壁用Ｌ字型コンクリートブロックの傾斜底板１２を成形する。前記成形型枠１５は、擁壁用Ｌ字型コンクリートブロック１０を製造する部分の一部を成形型枠載置架台２１に分担させることができるため、軽量で、しかも、製造のための材料を節約することができる。
【００３５】
図３における成形型枠載置架台２１は、支持架２１１の上部に設けられた成形型枠載置部２１９上に成形型枠１５を載置する。前記成形型枠１５および成形型枠載置架台２１は、図４（イ）および（ロ）に示す擁壁用Ｌ字型コンクリートブロック１０を成形できる型枠ができれば、必ずしも、図１から図３に示す通りのものである必要はなく、設計変更が可能である。
【００３６】
次に、本発明の擁壁用Ｌ字型コンクリートブロックの製造方法を説明する。まず、成形型枠１５は、成形型枠載置架台２１に載置される。前記成形型枠載置架台２１は、前記成形型枠１５と一体になって、擁壁用Ｌ字型コンクリートブロック１０の型枠となる。前記成形型枠１５および成形型枠載置架台２１には、コンクリートが打設される。前記打設されたコンクリートは、一次養生を行い、形状を維持できる半乾き状態にする。
【００３７】
前記一次養生の終了したコンクリートは、前記成形型枠１５に入った状態で、吊上用フック１５３、１５３′によって吊り上げられて、前記成形型枠載置架台２１から取り外される。前記成形型枠１５に入ったコンクリートブロックは、前記状態で所定の場所に移動し、二次養生を行う。前記成形型枠載置架台２１は、別の成形型枠１５が載置されて、新たにコンクリートが打設される。これを繰り返すことにより、一つの成形型枠載置架台２１に対して、複数個の成形型枠１５を準備することで、生産時間の短縮、作業効率の向上、型枠部材の節約等を果たすことができる。
【００３８】
前記成形型枠１５および成形型枠載置架台２１にコンクリートを打設した後の一次養生に必要な時間は、２時間から３時間で済んだ。２時間から３時間の一次養生は、前記成形型枠１５および成形型枠載置架台２１からなる型枠によって、半乾き状態になり、前記成形型枠載置架台２１から成形型枠１５とコンクリートブロックとを外して、二次養生を行う場所に移動させることができる。前記擁壁用Ｌ字型コンクリートブロック成形型枠は、一つの成形型枠載置架台２１に対して、複数個の成形型枠１５を準備することにより、複数個の擁壁用Ｌ字型コンクリートブロック１０を短時間に成形することが可能になった。
【００３９】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の成形型枠および成形型枠載置架台は、大きさ、形状等を任意に変更することができる。本発明の成形型枠と成形型枠載置架台との組立方および細部の構造は、任意に変更することが可能である。
【符号の説明】
【００４０】
１０・・・擁壁用Ｌ字型コンクリートブロック
１１・・・垂直壁
１１１・・・垂直壁基部
１１２・・・嵌合凸部
１１３・・・嵌合凹部
１１４・・・補強支持部
１１５、１１５′・・・テーパー孔
１２・・・傾斜底板
１２１・・・テーパー部
１５・・・成形型枠
１５１・・・垂直壁成形型枠部
１５２・・・傾斜底板成形型枠部
１５３、１５３′・・・吊上げフック
１５４・・・補強支持部成形部
１５５・・・傾斜底板囲部
１５７・・・テーパーピン
２１・・・成形型枠載置架台
２１１・・・支持架
２１２、２１３・・・側部成形板
２１４・・・頂部成形板
２１５・・・傾斜底板成形蓋
２１６・・・蝶番
２１７・・・フック（固定留具）
２１８・・・補強部
２１９・・・成形型枠載置部
５３・・・連結棒
【図１】
2012106348.tif 000003
【図２】
2012106348.tif 000004
【図３】
2012106348.tif 000005
【図４】
2012106348.tif 000006
【図５】
2012106348.tif 000007